(57)【要約】      （修正有）【課題】既存の通信システムの設定情報を解析できる回路を用いて、電話回線に関わる各設定項目を解析して、ＶｏＩＰアダプタの設定に自動的に反映する。【解決手段】通信システムは、電話装置３と、アダプタ装置５と、通信用サーバとを含む。前記電話装置３は、交換機１と通信回線２で接続される。前記アダプタ装置５は、前記交換機１と前記電話装置３との通信の際に前記通信回線２上で伝送される制御情報を監視し、前記制御情報から前記電話装置３を制御するための設定情報を得て、前記設定情報を設定テーブルに記憶し、且つ、前記電話装置３から送出された音声信号をパケットに変換する。前記通信用サーバは、前記アダプタ装置５とネットワーク回線で接続され、前記ネットワーク回線を介して前記アダプタ装置５から前記パケットが伝送される。【選択図】図１
2007028057.tif 000002
【特許請求の範囲】
【請求項１】
交換機と通信回線で接続される電話装置と、
前記交換機と前記電話装置との通信の際に前記通信回線上で伝送される制御情報を監視し、前記制御情報から前記電話装置を制御するための設定情報を得て、前記設定情報を設定テーブルに記憶し、且つ、前記電話装置から送出された音声信号をパケットに変換するアダプタ装置と、
前記アダプタ装置とネットワーク回線で接続され、前記ネットワーク回線を介して前記アダプタ装置から前記パケットが伝送される通信用サーバと
を含む
通信システム。
【請求項２】
請求項１に記載の通信システムにおいて、
前記アダプタ装置が前記設定情報を前記設定テーブルに記憶した後、前記電話装置は、前記交換機の代わりに、前記通信用サーバと通信する
通信システム。
【請求項３】
装置全体の動作制御を行う制御部と、
前記制御部が用いる制御データを保管するメモリ部と、
通信回線に接続され、前記通信回線上で伝送される信号のいずれかを検出する回線モニタ部と、
前記通信回線に接続され、前記通信回線上で伝送される音声信号を受信する加入者回線インターフェース部と、
前記音声信号をパケットに変換する変換部と、
前記パケットを伝送するためのネットワーク回線に接続されたＥｔｈｅｒインターフェース部と
を具備する
アダプタ装置。
【請求項４】
請求項３に記載のアダプタ装置において、
前記回線モニタ部は、
前記通信回線の直流電流の極性を監視する極性反転検出部と、
前記通信回線の線間電圧を監視する線間電圧検出部と、
前記通信回線上の呼出信号の有無を検出する呼出信号検出部と、
前記通信回線上のＰＢ（Ｐｕｓｈ  Ｂｕｔｔｏｎ）信号を検出するＰＢ信号検出部と、
前記通信回線上のモデム信号を検出するモデム信号検出部と
を具備する
アダプタ装置。
【請求項５】
請求項４に記載のアダプタ装置において、
前記メモリ部は、
設定テーブルを有し、
前記制御部は、前記回線モニタ部を介して得られた情報を前記設定テーブルに記憶する
アダプタ装置。
【請求項６】
請求項５に記載のアダプタ装置において、
前記極性反転検出部にて極性反転が検出された場合、前記制御部は、前記通信回線が着信状態に遷移したと判断し、前記呼出信号検出部にて前記呼出信号の種別を監視する
アダプタ装置。
【請求項７】
請求項６に記載のアダプタ装置において、
前記呼出信号がＩＲ信号（通常の呼出信号）であった場合、前記制御部は、前記ＰＢ信号検出部にて前記ＰＢ信号を監視し、
前記ＰＢ信号が検出された場合、前記制御部は、前記設定テーブルの着信種別の項目へ「ダイヤルイン」を示す情報を記憶し、且つ、ダイヤルイン方式の項目へ「ＰＢ」を示す情報を記憶し、
前記ＰＢ信号が検出されない場合、前記制御部は、前記着信種別の項目へ「一般着信」を示す情報を記憶する
アダプタ装置。
【請求項８】
請求項６に記載のアダプタ装置において、
前記呼出信号がＣＡＲ信号（起動信号）であった場合、前記制御部は、前記モデム信号検出部にて前記モデム信号を監視し、
前記モデム信号内に着番号情報が含まれている場合、前記制御部は、前記設定テーブルの着信種別の項目へ「ダイヤルイン」を示す情報を記憶し、且つ、ダイヤルイン方式の項目へ「ＭＯＤＥＭ」を示す情報を記憶し、且つ、ナンバーディスプレイの項目に「有り」を示す情報を記憶し、
前記モデム信号内に着番号情報が含まれていない場合、前記制御部は、前記ナンバーディスプレイの項目に「無し」を示す情報を記憶する
アダプタ装置。
【請求項９】
請求項５に記載のアダプタ装置において、
前記極性反転検出部にて極性反転が検出されていない場合、前記制御部は、前記線間電圧検出部にて前記通信回線の線間電圧を監視する
アダプタ装置。
【請求項１０】
請求項９に記載のアダプタ装置において、
前記線間電圧が所定値未満になったら、前記制御部は、前記通信回線が発信状態に遷移したと判断し、前記線間電圧検出部にて前記通信回線の線間電圧を監視し、前記線間電圧に変化がある場合、ダイヤル速度を検出する
アダプタ装置。
【請求項１１】
請求項９に記載のアダプタ装置において、
前記線間電圧が所定値以上であれば、前記制御部は、前記通信回線の直流電流の極性の監視に戻る
アダプタ装置。
【請求項１２】
請求項１０に記載のアダプタ装置において、
前記ダイヤル速度が所定速度であった場合、前記制御部は、前記設定テーブルの発信ダイヤル種別の項目へ「ＤＰ」を示す情報を記憶し、且つ、ダイヤル速度の項目に前記所定速度を示す情報を記憶する
アダプタ装置。
【請求項１３】
請求項１０に記載のアダプタ装置において、
前記線間電圧検出部にて前記線間電圧の変化が検出できない場合、前記制御部は、前記ＰＢ信号検出部にて前記ＰＢ信号を受信し、前記設定テーブルの発信ダイヤル種別の項目へ「ＰＢ」を示す情報を記憶する
アダプタ装置。
【請求項１４】
請求項３に記載のアダプタ装置において、
前記回線モニタ部と加入者回線インターフェース部との間に設けられ、前記回線モニタ部が監視する前記通信回線を切り替えるための切り替えスイッチ部を更に具備する
アダプタ装置。
【請求項１５】
（ａ）交換機と電話装置との通信の際に通信回線上で伝送される制御情報を監視し、前記制御情報から前記電話装置を制御するための設定情報を得て、前記設定情報を設定テーブルに記憶するステップと、
（ｂ）前記電話装置から送出された音声信号をパケットに変換するステップと、
（ｃ）ネットワーク回線を介して通信用サーバに前記パケットを伝送するステップと
を具備する
自動システム設定方法。
【請求項１６】
請求項１５に記載の自動システム設定方法において、
前記（ｃ）ステップは、
（ｃ１）前記設定情報を前記設定テーブルに記憶した後、前記電話装置が、前記交換機の代わりに、前記通信用サーバと通信するステップを更に具備する
自動システム設定方法。
【請求項１７】
請求項１６に記載の自動システム設定方法において、
前記（ａ）ステップは、
（ａ１）前記通信回線の直流電流の極性を監視するステップと、
（ａ２）前記通信回線の線間電圧を監視するステップと、
（ａ３）前記通信回線上の呼出信号の有無を検出するステップと、
（ａ４）前記通信回線上のＰＢ（Ｐｕｓｈ  Ｂｕｔｔｏｎ）信号を検出するステップと、
（ａ５）前記通信回線上のモデム信号を検出するステップと
を更に具備する
自動システム設定方法。
【請求項１８】
請求項１７に記載の自動システム設定方法において、
前記（ａ３）ステップは、
（ａ３１）極性反転が検出された場合、前記通信回線が着信状態に遷移したと判断し、前記呼出信号の種別を監視するステップを更に具備する
自動システム設定方法。
【請求項１９】
請求項１８に記載の自動システム設定方法において、
前記（ａ４）ステップは、
（ａ４１）前記呼出信号がＩＲ信号（通常の呼出信号）であった場合、前記ＰＢ信号を監視するステップと、
（ａ４２）前記ＰＢ信号が検出された場合、前記設定テーブルの着信種別の項目へ「ダイヤルイン」を示す情報を記憶し、且つ、ダイヤルイン方式の項目へ「ＰＢ」を示す情報を記憶するステップと、
（ａ４３）前記ＰＢ信号が検出されない場合、前記着信種別の項目へ「一般着信」を示す情報を記憶するステップと
を更に具備する
自動システム設定方法。
【請求項２０】
請求項１８に記載の自動システム設定方法において、
前記（ａ５）ステップは、
（ａ５１）前記呼出信号がＣＡＲ信号（起動信号）であった場合、前記モデム信号を監視するステップと、
（ａ５２）前記モデム信号内に着番号情報が含まれている場合、前記設定テーブルの着信種別の項目へ「ダイヤルイン」を示す情報を記憶し、且つ、ダイヤルイン方式の項目へ「ＭＯＤＥＭ」を示す情報を記憶し、且つ、ナンバーディスプレイの項目に「有り」を示す情報を記憶するステップと、
（ａ５３）前記モデム信号内に着番号情報が含まれていない場合、前記ナンバーディスプレイの項目に「無し」を示す情報を記憶するステップと
を更に具備する
自動システム設定方法。
【請求項２１】
請求項１７に記載の自動システム設定方法において、
前記（ａ２）ステップは、
（ａ２１）極性反転が検出されていない場合、前記通信回線の線間電圧を監視するステップを更に具備する
自動システム設定方法。
【請求項２２】
請求項２１に記載の自動システム設定方法において、
前記（ａ２）ステップは、
（ａ２２）前記線間電圧が所定値未満になったら、前記通信回線が発信状態に遷移したと判断し、前記通信回線の線間電圧を監視するステップを更に具備し、
前記（ａ）ステップは、
（ａ６）前記線間電圧に変化がある場合、ダイヤル速度を検出するステップを更に具備する
自動システム設定方法。
【請求項２３】
請求項２１に記載の自動システム設定方法において、
前記（ａ１）ステップは、
（ａ１１）前記線間電圧が所定値以上であれば、前記通信回線の直流電流の極性の監視に戻るステップを更に具備する
自動システム設定方法。
【請求項２４】
請求項２２に記載の自動システム設定方法において、
前記（ａ）ステップは、
（ａ７）前記ダイヤル速度が所定速度であった場合、前記設定テーブルの発信ダイヤル種別の項目へ「ＤＰ」を示す情報を記憶し、且つ、ダイヤル速度の項目に前記所定速度を示す情報を記憶するステップを更に具備する
自動システム設定方法。
【請求項２５】
請求項１０に記載の自動システム設定方法において、
前記（ａ４）ステップは、
（ａ４４）前記線間電圧の変化が検出できない場合、前記ＰＢ信号を受信し、前記設定テーブルの発信ダイヤル種別の項目へ「ＰＢ」を示す情報を記憶するステップを更に具備する
自動システム設定方法。
【請求項２６】
請求項１５に記載の自動システム設定方法において、
前記（ａ）ステップは、
（ａ８）前記回線モニタ部と加入者回線インターフェース部との間に設けられ、前記回線モニタ部が監視する前記通信回線を切り替えるステップを更に具備する
自動システム設定方法。
【請求項２７】
請求項１５乃至２６のいずれか一項に記載の自動システム設定方法を、コンピュータに実行させるためのプログラム。
【発明の詳細な説明】
【技術分野】
【０００１】
本発明は、ＶｏＩＰアダプタの自動システム設定方式に係る通信システム、アダプタ装置、自動システム設定方法、及びプログラムに関する。
【背景技術】
【０００２】
インターネットやイントラネットのようなＩＰネットワーク上で音声通話を実現する技術としてＶｏＩＰ（Ｖｏｉｃｅ  ｏｖｅｒ  Ｉｎｔｅｒｎｅｔ  Ｐｒｏｔｏｃｏｌ）が用いられている。ＶｏＩＰでは、デジタル符号化した音声信号を一定の時間毎に区切ってパケット化し、回線使用効率が高いＩＰネットワークを使って送信するため、通話料金を安くすることが可能である。現在、ＶｏＩＰは、社内ＬＡＮを使った内線電話や、インターネット電話に応用されている。
【０００３】
従来のＶｏＩＰアダプタは、既存の通信システムをＶｏＩＰによる通信システムに変更する場合、予め電話回線の契約内容を調査しなければならない。一般的に、ＶｏＩＰに対応した通信システムにおける電話回線には、ＰＳＴＮ（Ｐｕｂｌｉｃ  Ｓｗｉｔｃｈｅｄ  Ｔｅｌｅｐｈｏｎｅ  Ｎｅｔｗｏｒｋ）と呼ばれる公衆電話交換網が用いられることが多い。また、配下に接続されるＰＢＸ（Ｐｒｉｖａｔｅ  Ｂｒａｎｃｈ  ｅＸｃｈａｎｇｅ）やボタン電話機の電話回線インターフェース部のシステム設定を確認し、ＶｏＩＰアダプタにも的確な設定を行う必要があり、様々なメーカーのＰＢＸやボタン電話機の知識を有する作業者が対応しなければならない。ここで、ＰＢＸは、企業や組織内の内線電話の相互接続、及び内線と外線の交換を行う装置、設備、あるいは交換台である。また、ＶｏＩＰアダプタの設定方法を習得した作業者が設定しなければならない。更に、ＰＢＸやボタン電話機のように、複数の回線が収容され、回線毎に契約内容が異なる場合には、設定作業が煩雑になり、設定ミスの可能性も高くなる他、時間を要する。
【０００４】
従来の技術として特開２００１−３１３９６４号公報に電話装置及びその接続設定方法が開示されている。
この従来技術では、回線局に接続され通信を行う電話装置が、前記回線局との間のプロトコル処理を行うプロトコル処理部と、前記プロトコル処理に必要なパラメータを記憶するパラメータテーブルと、前記パラメータを設定するための設定情報を検出し前記パラメータテーブルに記憶する自動設定制御部とを備えたことを特徴とする。
【０００５】
また、特開平９−３２１８６７号公報に電話交換機が開示されている。
この従来技術では、内線端末と加入者回線とを接続する電話交換機が、局線接続情報を記憶する記憶手段と、前記加入者回線の直流電流ループを検出するループ検出回路を有する局線インターフェイス回路と、前記ループ検出を行った結果を前記局線接続情報として前記記憶手段に記憶する制御手段とを備えることを特徴とする。
【０００６】
特開２００１−３１３９６４号公報の電話装置及びその接続設定方法は、ＩＳＤＮ回線に接続し、交換局との情報やり取りを利用して装置の設定を行う発明であり、アナログ式電話回線では対応できない。
特開平９−３２１８６７号公報の電話交換機は、アナログ電話回線を対象としているが、電話局から提供されている通話用電源のループ電流を頼りに、装置に電話回線が接続されているか否かを検出する手段を持っているだけで、回線種別やダイヤル種別を検出する機能はなく、これらの自動設定も不可能である。
【０００７】
【特許文献１】特開２００１−３１３９６４号公報
【特許文献２】特開平９−３２１８６７号公報
【発明の開示】
【発明が解決しようとする課題】
【０００８】
既に市販されている従来のＶｏＩＰアダプタ装置の接続は、基本的には図２に示すような接続形態である。しかしながら、従来のＶｏＩＰアダプタ装置では、システムの設定プログラムを工事者が入力する必要があり、その場合には次のような課題がある。
【０００９】
第１の課題は、既存の電話回線の設定状態を知るには、電話局から情報を入手する必要があるため、例えば、電話局の交換機に接続されている電話回線を電話局のＳＩＰ（Ｓｅｓｓｉｏｎ  Ｉｎｉｔｉａｔｉｏｎ  Ｐｒｏｔｏｃｏｌ）サーバに接続変更する際には問題にならなくても、別の通信事業者のＳＩＰサーバに接続する場合、すなわち、電話局の回線は使用しなくなる場合、全ての設定情報を確実に入手できるとは限らない。
【００１０】
第２の課題は、電話回線に接続された既存のＰＢＸやボタン電話装置は、各社まちまちの設定プログラムを用いており、詳細な設定を確認するためには、それぞれのＰＢＸやボタン電話装置の設定プログラムに精通した専門の知識を有する作業者が装置の設定を行う必要がある。
【００１１】
第３の課題は、既存のＰＢＸやボタン電話装置に複数の電話回線が収容されている場合、それぞれの回線毎に設定内容を確認しなければならないという手間がかかる上、実際にプログラム設定する際に入力誤りが発生する可能性がある。
【００１２】
本発明の目的は、特別な知識を有さない作業者でも、ＶｏＩＰ通信による新しい通信環境へ安易に移行できるＶｏＩＰアダプタの自動システム設定方式に係る通信システム、アダプタ装置、自動システム設定方法、及びプログラムを提供することにある。このＶｏＩＰアダプタの自動システム設定方式では、ＶｏＩＰアダプタによる新しい通信システムに移行する工事を行う前に予め任意の期間ＶｏＩＰアダプタの回線モニタ部を既存の電話回線に並列に接続することによって通信状況をモニタする。そして、各回線毎の設定パラメータをシステムのメモリ部内にある回線接続条件設定テーブルに蓄積して回線の設定内容を学習し、この設定データを元に加入者回線インターフェース部を制御する。
【課題を解決するための手段】
【００１３】
以下に、［発明を実施するための最良の形態］で使用される番号を括弧付きで用いて、課題を解決するための手段を説明する。これらの番号は、［特許請求の範囲］の記載と［発明を実施するための最良の形態］との対応関係を明らかにするために付加されたものである。但し、それらの番号を、［特許請求の範囲］に記載されている発明の技術的範囲の解釈に用いてはならない。
【００１４】
本発明の通信システムは、交換機（１）と通信回線（２）で接続される電話装置（３）と、前記交換機（１）と前記電話装置（３）との通信の際に前記通信回線（２）上で伝送される制御情報を監視し、前記制御情報から前記電話装置（３）を制御するための設定情報を得て、前記設定情報を設定テーブルに記憶し、且つ、前記電話装置（３）から送出された音声信号をパケットに変換するアダプタ装置（５）と、前記アダプタ装置（５）とネットワーク回線（６）で接続され、前記ネットワーク回線（６）を介して前記アダプタ装置（５）から前記パケットが伝送される通信用サーバ（７）とを含む。
【００１５】
本発明の通信システムは、前記アダプタ装置（５）が前記設定情報を前記設定テーブルに記憶した後、前記電話装置（３）は、前記交換機（１）の代わりに、前記通信用サーバ（７）と通信する。
【００１６】
本発明のアダプタ装置（５）は、装置全体の動作制御を行う制御部（５１）と、前記制御部（５１）が用いる制御データを保管するメモリ部（５２）と、通信回線（２）に接続され、前記通信回線（２）上で伝送される信号のいずれかを検出する回線モニタ部（５３）と、前記通信回線（２）に接続され、前記通信回線（２）上で伝送される音声信号を受信する加入者回線インターフェース部（５４）と、前記音声信号をパケットに変換する変換部（５５）と、前記パケットを伝送するためのネットワーク回線（６）に接続されたＥｔｈｅｒインターフェース部（５６）とを具備する。
【００１７】
前記回線モニタ部（５３）は、前記通信回線（２）の直流電流の極性を監視する極性反転検出部（５３１）と、前記通信回線（２）の線間電圧を監視する線間電圧検出部（５３２）と、前記通信回線（２）上の呼出信号の有無を検出する呼出信号検出部（５３３）と、前記通信回線（２）上のＰＢ（Ｐｕｓｈ  Ｂｕｔｔｏｎ）信号を検出するＰＢ信号検出部（５３４）と、前記通信回線（２）上のモデム信号を検出するモデム信号検出部（５３５）とを具備する。
【００１８】
前記メモリ部（５２）は、設定テーブルを有する。前記制御部（５１）は、前記回線モニタ部（５３）を介して得られた情報を前記設定テーブルに記憶する。
【００１９】
前記極性反転検出部（５３１）にて極性反転が検出された場合、前記制御部（５１）は、前記通信回線（２）が着信状態に遷移したと判断し、前記呼出信号検出部（５３３）にて前記呼出信号の種別を監視する。
【００２０】
前記呼出信号がＩＲ信号（通常の呼出信号）であった場合、前記制御部（５１）は、前記ＰＢ信号検出部（５３４）にて前記ＰＢ信号を監視する。前記ＰＢ信号が検出された場合、前記制御部（５１）は、前記設定テーブルの着信種別の項目へ「ダイヤルイン」を示す情報を記憶し、且つ、ダイヤルイン方式の項目へ「ＰＢ」を示す情報を記憶する。前記ＰＢ信号が検出されない場合、前記制御部（５１）は、前記着信種別の項目へ「一般着信」を示す情報を記憶する。
【００２１】
前記呼出信号がＣＡＲ信号（起動信号）であった場合、前記制御部（５１）は、前記モデム信号検出部（５３５）にて前記モデム信号を監視する。前記モデム信号内に着番号情報が含まれている場合、前記制御部（５１）は、前記設定テーブルの着信種別の項目へ「ダイヤルイン」を示す情報を記憶し、且つ、ダイヤルイン方式の項目へ「ＭＯＤＥＭ」を示す情報を記憶し、且つ、ナンバーディスプレイの項目に「有り」を示す情報を記憶する。前記モデム信号内に着番号情報が含まれていない場合、前記制御部（５１）は、前記ナンバーディスプレイの項目に「無し」を示す情報を記憶する。
【００２２】
前記極性反転検出部（５３１）にて極性反転が検出されていない場合、前記制御部（５１）は、前記線間電圧検出部（５３２）にて前記通信回線（２）の線間電圧を監視する。
【００２３】
前記線間電圧が所定値未満になったら、前記制御部（５１）は、前記通信回線（２）が発信状態に遷移したと判断し、前記線間電圧検出部（５３２）にて前記通信回線（２）の線間電圧を監視し、前記線間電圧に変化がある場合、ダイヤル速度を検出する。
【００２４】
前記線間電圧が所定値以上であれば、前記制御部（５１）は、前記通信回線（２）の直流電流の極性の監視に戻る。
【００２５】
前記ダイヤル速度が所定速度であった場合、前記制御部（５１）は、前記設定テーブルの発信ダイヤル種別の項目へ「ＤＰ」を示す情報を記憶し、且つ、ダイヤル速度の項目に前記所定速度を示す情報を記憶する。
【００２６】
前記線間電圧検出部（５３２）にて前記線間電圧の変化が検出できない場合、前記制御部（５１）は、前記ＰＢ信号検出部（５３４）にて前記ＰＢ信号を受信し、前記設定テーブルの発信ダイヤル種別の項目へ「ＰＢ」を示す情報を記憶する。
【００２７】
本発明のアダプタ装置（５）は、前記回線モニタ部（５３）と加入者回線インターフェース部（５４）との間に設けられ、前記回線モニタ部（５３）が監視する前記通信回線（２）を切り替えるための切り替えスイッチ部（５７）を更に具備する。
【００２８】
本発明の自動システム設定方法は、（ａ）交換機（１）と電話装置（３）との通信の際に通信回線（２）上で伝送される制御情報を監視し、前記制御情報から前記電話装置（３）を制御するための設定情報を得て、前記設定情報を設定テーブルに記憶するステップと、（ｂ）前記電話装置（３）から送出された音声信号をパケットに変換するステップと、（ｃ）ネットワーク回線（６）を介して通信用サーバ（７）に前記パケットを伝送するステップとを具備する。
【００２９】
前記（ｃ）ステップは、（ｃ１）前記設定情報を前記設定テーブルに記憶した後、前記電話装置（３）が、前記交換機（１）の代わりに、前記通信用サーバ（７）と通信するステップを更に具備する。
【００３０】
前記（ａ）ステップは、（ａ１）前記通信回線（２）の直流電流の極性を監視するステップと、（ａ２）前記通信回線（２）の線間電圧を監視するステップと、（ａ３）前記通信回線（２）上の呼出信号の有無を検出するステップと、（ａ４）前記通信回線（２）上のＰＢ（Ｐｕｓｈ  Ｂｕｔｔｏｎ）信号を検出するステップと、（ａ５）前記通信回線（２）上のモデム信号を検出するステップとを更に具備する。
【００３１】
前記（ａ３）ステップは、（ａ３１）極性反転が検出された場合、前記通信回線（２）が着信状態に遷移したと判断し、前記呼出信号の種別を監視するステップを更に具備する。
【００３２】
前記（ａ４）ステップは、（ａ４１）前記呼出信号がＩＲ信号（通常の呼出信号）であった場合、前記ＰＢ信号を監視するステップと、（ａ４２）前記ＰＢ信号が検出された場合、前記設定テーブルの着信種別の項目へ「ダイヤルイン」を示す情報を記憶し、且つ、ダイヤルイン方式の項目へ「ＰＢ」を示す情報を記憶するステップと、（ａ４３）前記ＰＢ信号が検出されない場合、前記着信種別の項目へ「一般着信」を示す情報を記憶するステップとを更に具備する。
【００３３】
前記（ａ５）ステップは、（ａ５１）前記呼出信号がＣＡＲ信号（起動信号）であった場合、前記モデム信号を監視するステップと、（ａ５２）前記モデム信号内に着番号情報が含まれている場合、前記設定テーブルの着信種別の項目へ「ダイヤルイン」を示す情報を記憶し、且つ、ダイヤルイン方式の項目へ「ＭＯＤＥＭ」を示す情報を記憶し、且つ、ナンバーディスプレイの項目に「有り」を示す情報を記憶するステップと、（ａ５３）前記モデム信号内に着番号情報が含まれていない場合、前記ナンバーディスプレイの項目に「無し」を示す情報を記憶するステップとを更に具備する。
【００３４】
前記（ａ２）ステップは、（ａ２１）極性反転が検出されていない場合、前記通信回線（２）の線間電圧を監視するステップを更に具備する。
【００３５】
前記（ａ２）ステップは、（ａ２２）前記線間電圧が所定値未満になったら、前記通信回線（２）が発信状態に遷移したと判断し、前記通信回線（２）の線間電圧を監視するステップを更に具備する。前記（ａ）ステップは、（ａ６）前記線間電圧に変化がある場合、ダイヤル速度を検出するステップを更に具備する。
【００３６】
前記（ａ１）ステップは、（ａ１１）前記線間電圧が所定値以上であれば、前記通信回線（２）の直流電流の極性の監視に戻るステップを更に具備する。
【００３７】
前記（ａ）ステップは、（ａ７）前記ダイヤル速度が所定速度であった場合、前記設定テーブルの発信ダイヤル種別の項目へ「ＤＰ」を示す情報を記憶し、且つ、ダイヤル速度の項目に前記所定速度を示す情報を記憶するステップを更に具備する。
【００３８】
前記（ａ４）ステップは、（ａ４４）前記線間電圧の変化が検出できない場合、前記ＰＢ信号を受信し、前記設定テーブルの発信ダイヤル種別の項目へ「ＰＢ」を示す情報を記憶するステップを更に具備する。
【００３９】
前記（ａ）ステップは、（ａ８）前記回線モニタ部（５３）と加入者回線インターフェース部（５４）との間に設けられ、前記回線モニタ部（５３）が監視する前記通信回線（２）を切り替えるステップを更に具備する。
【００４０】
本発明のプログラムは、上記に記載の自動システム設定方法を、コンピュータに実行させるためのプログラムである。
【発明の効果】
【００４１】
第１の効果は回線モニタ部にある各種検出回路によって回線状況を検出できるので、既存電話回線の設定状態を自動的に把握することができることである。
第２の効果は回線モニタ部で検出した既存電話回線の設定状態を、制御部を介してメモリ部にある回線接続条件設定テーブルに直接反映できることである。
第３の効果はメモリ部に記憶された設定データを元に、制御部が加入者回線インターフェース部を制御できるので、従来専門知識を持った作業者が設定データを入力していた作業が不要になり、加入者回線インターフェース部をＰＢＸ、ボタン電話装置に接続するだけで既存の通信環境を、ＶｏＩＰを用いた通信環境に移行できることである。
【発明を実施するための最良の形態】
【００４２】
以下に、本発明の第１実施形態について添付図面を参照して説明する。
図１は既存の通信設備に本発明品であるＶｏＩＰ（Ｖｏｉｃｅ  ｏｖｅｒ  Ｉｎｔｅｒｎｅｔ  Ｐｒｏｔｏｃｏｌ）アダプタを接続した場合を示す。
この時、図１の通信システムは、電話局／構内交換機１、電話回線２、ＰＢＸ（Ｐｒｉｖａｔｅ  Ｂｒａｎｃｈ  ｅＸｃｈａｎｇｅ）／ボタン電話装置３、内線電話４、ＶｏＩＰアダプタ５を有する。
【００４３】
この通信システムでは、電話局／構内交換機１とＰＢＸ／ボタン電話装置３が電話回線２で接続され、内線電話４（４−ｉ、ｉ＝１〜ｎ：ｎは電話機の台数）がＰＢＸ／ボタン電話装置３に収容されている既存の通信システムに、本発明品であるＶｏＩＰアダプタ５を並列接続する。ＶｏＩＰアダプタ５は既存の通信システムが電話回線２上でやりとりする制御情報をモニタし、ＰＢＸ／ボタン電話装置３を制御するのに必要な情報を得て、各種設定項目を学習する。なお、電話回線２は、有線、無線のいずれでも良い。また、ＰＢＸやボタン電話機は、内線電話４と電話局／構内交換機１との通信を中継する中継装置の役割を果たす。内線電話４は音声信号を発信することが可能な端末である。
【００４４】
図２は、新規通信システムに移行後の図である。
図２の新規通信システムは、電話回線２、ＰＢＸ／ボタン電話装置３、内線電話４、ＶｏＩＰアダプタ５、ＷＡＮ６、ＳＩＰサーバ７を有する。
【００４５】
既存の通信システムにおいて電話局／構内交換機１と接続していた電話回線２を外し、ＰＢＸ／ボタン電話装置３は電話回線２を介してＶｏＩＰアダプタ５と接続される。電話回線２を外すとは、電話回線２を不通にすることを指す。例えば、電話回線２の通信を遮断したり、電話回線２を切断したりしても良い。また、実際に電話回線２を外さずとも、電話局／構内交換機１とＰＢＸ／ボタン電話装置３との間で通信が行われないようにすれば良い。内線電話４から送られた音声信号は、ＶｏＩＰアダプタ５でＶｏＩＰ化され、ＷＡＮ（広域通信網）６を介してＳＩＰサーバ７へと送出される。ここで、ＶｏＩＰ化とは、音声信号をＶｏＩＰに対応する信号に変換することを指す。また、ＷＡＮ６は、デジタル通信に用いられるネットワーク回線である。ＷＡＮ６はＬＡＮ（構内通信網）であっても良い。このようにして、本発明では、既存の通信システムと並列にＶｏＩＰアダプタを接続して通信状況をモニタし、ＰＢＸやボタン電話機のインターフェース部の設定情報を、運用前に学習することで、面倒なインターフェース部の設定を自動化することができる。なお、ＷＡＮ６は、有線、無線のいずれでも良い。
【００４６】
本発明のＶｏＩＰアダプタについて、図３を参照しながら説明する。
図３を参照すると、本発明の実施例としてのＶｏＩＰアダプタ５が示されている。以下、図中の各ブロックの機能を説明する。
本発明のＶｏＩＰアダプタ５は、制御部５１、メモリ部５２、回線モニタ部５３、加入者回線インターフェース部５４、ＶｏＩＰ変換部５５、Ｅｔｈｅｒインターフェース部５６を備えている。
【００４７】
制御部５１は、ＶｏＩＰアダプタ５全体の制御を行う部分で、メモリ部５２、回線モニタ部５３、加入者回線インターフェース部５４、ＶｏＩＰ変換部５５、Ｅｔｈｅｒインターフェース部５６が接続されている。電話回線２は、回線モニタ部５３、加入者回線インターフェース部５４に接続されている。まず、電話回線２の状態を知るために、図１に示されるように接続する。回線モニタ部５３内の各検出部で電話回線２の状態を監視し、発信、着信、Ｉｄｌｅ（待機）の各状態における線間電圧や信号の変化を検出して、制御部５１は得られた設定情報をメモリ部５２に蓄積する。メモリ部５２内部には、図４に示す「回線接続条件設定テーブル」が設けられており、制御部５１は、回線モニタ部５３を介して得られた情報をこのテーブル内のそれぞれの項目に記憶する。図２の様に結線を変更し、ＶｏＩＰアダプタ５配下にＰＢＸ／ボタン電話装置３を接続した場合、すなわち、図２の新規通信システムを電話局／構内交換機１から切り離した場合、制御部５１は、メモリ部５２に蓄積した設定情報を元に加入者回線インターフェース部５４を制御する。この時、配下のＰＢＸ／ボタン電話装置３は、特別な設定変更を行うことなく、音声信号をＶｏＩＰに変換することにより、ＷＡＮ６経由でＳＩＰサーバ７と通信する方式に変更できる。
【００４８】
以下に各部の機能を説明する。
ＶｏＩＰアダプタ５は、本発明を適用したＶｏＩＰアダプタ全体を示す。
制御部５１は、ＶｏＩＰアダプタ全体の動作制御を実施する。
メモリ部５２は、ＶｏＩＰアダプタ内の各種制御データを保管する。
回線モニタ部５３は、電話回線２に接続され、極性反転検出部５３１、線間電圧検出部５３２、呼出信号検出部５３３、ＰＢ信号検出部５３４、モデム信号検出部５３５といった各検出部を有する。
【００４９】
極性反転検出部５３１は、電話回線２の直流電圧の極性を監視する。そして、極性の反転によって電話回線２が着信状態になることを検出する。極性情報は制御部５１に送付する。線間電圧検出部５３２は、電話回線２の線間電圧を監視する。ここでは、線間電圧２０Ｖを閾値として、Ｉｄｌｅ状態、発信状態、ダイヤルパルスを検出する。呼出信号検出部５３３は、電話回線２上の呼出信号（Ｒｉｎｇ信号）の有無を検出する。ＰＢ信号検出部５３４は、電話回線２上のＰＢ信号（Ｐｕｓｈ  Ｂｕｔｔｏｎ信号）を検出する。ＰＢ信号は、ＤＴＭＦ（Ｄｉａｌ  Ｔｏｎｅ  Ｍｕｌｔｉ  Ｆｒｅｑｕｅｎｃｙ）信号とも呼ばれる。ＰＢ信号として、ボタン毎に決められた二つの音の周波数を組み合わせて選択信号を送出することが多い。モデム信号検出部５３５は、電話局／構内交換機１から送られてくるモデム信号を検出する。
【００５０】
加入者回線インターフェース部５４は、電話回線２に接続され、配下に接続されたＰＢＸ／ボタン電話装置３との通信を行う回路部である。ＶｏＩＰ変換部５５は、加入者回線インターフェース部５４から入力された音声信号をＶｏＩＰに変換、逆に、ＷＡＮ６からのＶｏＩＰ信号を音声信号に変換する。Ｅｔｈｅｒインターフェース部５６は、ＶｏＩＰ化（パケット化）された信号をＷＡＮ６を介してＳＩＰサーバ７と通信するインターフェース部分である。電話回線２は、図１においては電話局／構内交換機１とＰＢＸ／ボタン電話装置３との間の配線を示し、図２においては、ＶｏＩＰアダプタ５とＰＢＸ／ボタン電話装置３との間の配線を示し、音声通信や発着信に関わる制御を行う。ＷＡＮ６は、ＶｏＩＰアダプタ５とＳＩＰサーバ７間を接続するネットワーク回線を示す。
【００５１】
次に図３のＶｏＩＰアダプタ内部の動作を図５〜図７に示すタイムチャートを使用して説明する。
ＶｏＩＰアダプタは図１のように既存の回線と並列に接続する。
図５の「発信動作、着信動作検出シーケンス」は、電話回線の状態が、Ｉｄｌｅ状態にあるか、発信状態にあるか、着信状態にあるかを検出するシーケンスである。
ＶｏＩＰアダプタ５に接続された電話回線２の状態は、回線モニタ部５３の各回路部で監視しているが、「発信動作、着信動作検出シーケンス（図５）」においては極性反転検出部５３１と線間電圧検出部５３２を使用する。
【００５２】
（１）ステップＳ１０１
自動設定開始シーケンスが起動すると、制御部５１は極性反転検出部５３１を介して電話回線２の線間電圧極性が変化するか否かを監視する。
（２）ステップＳ１０２
制御部５１は極性反転検出部５３１を介して極性反転の検出を行う。すなわち、極性反転の有無を判定する。
（３）ステップＳ１０３
極性反転検出部５３１によって極性反転が検出された場合、制御部５１は電話回線２が着信状態に遷移したと判断し、「着信動作モニタ開始」シーケンス（図６）に移行する。
（４）ステップＳ１０４
極性反転検出部５３１によって極性反転が検出されていない場合、線間電圧検出部５３２にて電話回線の線間電圧変化を監視する。
（５）ステップＳ１０５
制御部５１は線間電圧検出部５３２を介して線間電圧の検出を行い、線間電圧が２０Ｖ未満か否かを判定する。線間電圧が２０Ｖ以上である場合、電話回線２の極性反転検出（ステップＳ１０１）に戻る。
（６）ステップＳ１０６
線間電圧が２０Ｖ未満になったら、電話回線２は発信状態に遷移したと判断し、「発信動作モニタ開始」シーケンス（図７）に移行する。
【００５３】
このように、回線モニタ部５３内の極性反転検出部５３１と線間電圧検出部５３２を使用して、電話回線２が、発信、着信、Ｉｄｌｅのどの状況にあるかを判定する。
【００５４】
図６の「着信動作モニタシーケンス」は、電話回線２が着信状態にある場合の動作モニタシーケンスである。
図６においては回線モニタ部５３内の呼出信号検出部５３３、ＰＢ信号検出部５３４、モデム信号検出部５３５を使用する。
【００５５】
（１）ステップＳ２０１
着信動作モニタシーケンス（図６）が開始されると、まず、制御部５１は呼出信号検出部５３３によって呼出信号（Ｒｉｎｇ信号）の種別を監視する。
（２）ステップＳ２０２
制御部５１は呼出信号検出部５３３を介して呼出信号（Ｒｉｎｇ信号）の種別を判定する。
（３）ステップＳ２０３
呼出信号検出部５３３によって検出された呼出信号がＩＲ信号（Ｉｎｔｅｒｒｕｐｔｅｄ  Ｒｉｎｇｉｎｇ：断続信号）であった場合には、次のＰＢ信号検出部５３４でＰＢ信号の監視を行う。なお、ＩＲ信号は一般的な（通常の）呼出信号として用いられることが多い。
（４）ステップＳ２０４
制御部５１はＰＢ信号検出部５３４を介してＰＢ信号の検出を行う。
（５）ステップＳ２０５
ＰＢ信号検出部５３４によってＰＢ信号が検出された場合には、制御部５１はメモリ部５２内の「回線接続条件設定テーブル（図４）」へ、「着信種別：ダイヤルイン」、「ダイヤルイン方式：ＰＢ」と記憶する。
（６）ステップＳ２０６
ＰＢ信号検出部５３４によってＰＢ信号が検出されない場合には、「着信種別：一般着信」と記憶する。
（７）ステップＳ２０７
ステップＳ２０２において、呼出信号検出部５３３によって検出された呼出信号がＣＡＲ信号（起動信号）であった場合には、次のモデム信号検出部５３５でモデム信号の監視を行う。
（８）ステップＳ２０８
制御部５１はモデム信号検出部５３５を介してモデム信号モデム信号内の「着番号情報」の検出を行う。モデム信号内に「着番号情報」が含まれていない場合には、ステップＳ２１０の動作に移行する。
（９）ステップＳ２０９
モデム信号内に「着番号情報」が含まれている場合には制御部５１はメモリ部５２内の「回線接続条件設定テーブル（図４）」へ、「着信種別：ダイヤルイン」、「ダイヤルイン方式：ＭＯＤＥＭ」と記憶する。
（１０）ステップＳ２１０
引き続き、制御部５１はモデム信号検出部５３５を介して「発番号情報」の検出を行う。
（１１）ステップＳ２１１
「着番号情報」が含まれている場合には、制御部５１はメモリ部５２内の「回線接続条件設定テーブル（図４）」へ、「ナンバーディスプレイ：有り」と記憶する。
（１２）ステップＳ２１２
「着番号情報」が含まれていない場合には、制御部５１はメモリ部５２内の「回線接続条件設定テーブル（図４）」へ、「ナンバーディスプレイ：無し」と記憶する。
【００５６】
図７の「発信動作モニタシーケンス」は、電話回線２が発信状態にある場合の動作モニタシーケンスである。
図７においては回線モニタ部５３内の線間電圧検出部５３２、ＰＢ信号検出部５３４を使用する。
【００５７】
（１）ステップＳ３０１
「発信動作モニタシーケンス（図７）」が開始されると、まず制御部５１は線間電圧検出部５３２によって電話回線２の線間電圧を監視する。
（２）ステップＳ３０２
制御部５１は線間電圧検出部５３２を介して線間電圧の変化を検出する。
（３）ステップＳ３０３
線間電圧に変化がある場合、線間電圧検出部５３２は、ＰＢＸやボタン電話機がＤＰ（Ｄｉａｌ  Ｐｕｌｓｅ）信号を送出したと判定し、ＤＰ信号検出状態に移行する。
（４）ステップＳ３０４
線間電圧検出部５３２によってＤＰ信号検出状態に移行した後、制御部５１はＰＢ信号検出部５３４によってダイヤル速度を検出する。このダイヤル速度は専用の検出回路を用いず、制御部に印加される信号をサンプリングして検出するのが一般的であるため、ここでは詳細を割愛する。
（５）ステップＳ３０５
検出したダイヤル速度が１０ｐｐｓであった場合、制御部５１はメモリ部５２内の「回線接続条件設定テーブル（図４）」へ、「発信ダイヤル種別：ＤＰ」、「ダイヤル速度：１０ｐｐｓ」と記憶する。
（６）ステップＳ３０６
検出したダイヤル速度が２０ｐｐｓであった場合、制御部５１はメモリ部５２内の「回線接続条件設定テーブル（図４）」へ、「発信ダイヤル種別：ＤＰ」、「ダイヤル速度：２０ｐｐｓ」と記憶する。
（７）ステップＳ３０７
線間電圧検出部５３２によって電話回線２の電圧変化が検出できない場合には、ＰＢ信号検出部５３４にてＰＢ信号を受信する。
（８）ステップＳ３０８
ＰＢ信号検出部５３４にてＰＢ信号を検出した後、この結果を持って、制御部５１はメモリ部５２内の「回線接続条件設定テーブル（図４）」へ、「発信ダイヤル種別：ＰＢ」と記憶する。
【００５８】
以上のフローチャート及び各回路の検出結果により、メモリ部５２内部に設けられた「回線接続条件設定テーブル」に、監視対象となる電話回線２の設定条件が記憶され、この設定情報に基づいてＶｏＩＰアダプタ５の制御部５１は加入者回線インターフェース部５４の制御を行うことができるので、図２の様に接続した場合でも、特別な設定を行うことなく配下に接続されるＰＢＸ／ボタン電話装置３と通信を行うことができる。
【００５９】
本発明の第２実施形態として、ＶｏＩＰアダプタの基本的構成は上記の通りであるが、回線モニタ部と加入者回線インターフェース部の接続について更に工夫している。
そのＶｏＩＰアダプタの構成を図８に示す。
本図のＶｏＩＰアダプタ５は、制御部５１、メモリ部５２、回線モニタ部５３、加入者回線インターフェース部５４、ＶｏＩＰ変換部５５、Ｅｔｈｅｒインターフェース部５６、切り替えスイッチ部５７を備えている。
【００６０】
制御部５１は、ＶｏＩＰアダプタ５全体の制御を行う部分で、メモリ部５２、回線モニタ部５３、加入者回線インターフェース部５４（５４−ｉ、ｉ＝１〜ｎ：ｎは電話回線数）、ＶｏＩＰ変換部５５、Ｅｔｈｅｒインターフェース部５６が接続されている。電話回線２（２−ｉ、ｉ＝１〜ｎ：ｎは電話回線数）は、回線モニタ部５３、加入者回線インターフェース部５４に接続されている。ここでは、加入者回線インターフェース部５４と電話回線２とは１対１で接続されている。但し、実際には１対１で接続されている場合に限定されない。例えば、１つの加入者回線インターフェース部５４に複数の電話回線２が接続されている場合もある。この場合、１つの加入者回線インターフェース部５４に電話回線２との接続口が複数存在している。回線モニタ部５３と加入者回線インターフェース部５４との間には、切り替えスイッチ部５７が設けられている。切り替えスイッチ部５７を切り替えることで、回線モニタ部５３は、加入者回線インターフェース部５４に接続されている電話回線２（２−ｉ、ｉ＝１〜ｎ：ｎは電話回線数）のうち少なくとも１本と接続される。この時、切り替えスイッチ部５７により、回線モニタ部５３が電話回線２と接続されていない状態（切り替えスイッチ部５７がＯＦＦの状態）にすることも可能になるようにしても良い。
【００６１】
この時、図９に示すように、ＶｏＩＰアダプタ５とＰＢＸ／ボタン電話装置３とは複数の電話回線２で接続されている状態になる。一般的にオフィスで使用されているＰＢＸやボタン電話装置は、例えば１０回線や２０回線といった複数の電話回線で接続されていることが多い。これらの回線を全てＳＩＰサーバ経由で通信させるためには、ＶｏＩＰアダプタにはｎ本の電話回線を接続するためのｎ個のインターフェースを持つことになる。
【００６２】
まず、電話回線２の状態を知るために、図１に示されるように接続する。回線モニタ部５３内の各検出部で電話回線２の状態を監視し、発信、着信、Ｉｄｌｅ（待機）の各状態における線間電圧や信号の変化を検出して、制御部５１は得られた設定情報をメモリ部５２に蓄積する。メモリ部５２内部には、図４に示す「回線接続条件設定テーブル」が設けられており、制御部５１は、回線モニタ部５３を介して得られた情報をこのテーブル内のそれぞれの項目に記憶する。図２の様に結線を変更し、ＶｏＩＰアダプタ５配下にＰＢＸ／ボタン電話装置３を接続した場合、すなわち、図２の新規通信システムを電話局／構内交換機１から切り離した場合、制御部５１は、メモリ部５２に蓄積した設定情報を元に加入者回線インターフェース部５４を制御する。この時、配下のＰＢＸ／ボタン電話装置３は、特別な設定変更を行うことなく、音声信号をＶｏＩＰに変換することにより、ＷＡＮ６経由でＳＩＰサーバ７と通信する方式に変更できる。
【００６３】
図８において、回線モニタ部５３と加入者回線インターフェース部５４との間に、切り替えスイッチ部５７を設けて回線モニタ部５３が監視する電話回線２を切り替えることにより、回線モニタ部５３を複数設けることなく共用化することで、装置の簡素化を図るという効果が得られる。
【００６４】
なお、ここまで、ＰＢＸ／ボタン電話装置３が電話局／構内交換機１と通信する方式から、ＰＢＸ／ボタン電話装置３がＳＩＰサーバ７と通信する方式に切り替えることについて説明してきたが、これらの方式を同時に使用することも可能である。
但し、１本の電話回線に対しては同時使用できないため、ＰＢＸ／ボタン電話装置３が、電話局／構内交換機１又はＶｏＩＰアダプタ５と接続するための電話回線２が１本しかない場合、いずれか一方の通信方式を使用することになる。理由は、例えば、図１０の様に接続した場合、ＰＢＸ／ボタン電話装置３から発信した時、１本の回線に２系統の接続先が存在してしまうからである。また、故障の発生する可能性も高くなる。しかしながら、図１１の様に別の回線がそれぞれ接続される場合、ＰＢＸ／ボタン電話装置３が電話局／構内交換機１と通信する方式と、ＰＢＸ／ボタン電話装置３がＳＩＰサーバ７と通信する方式を同時に使用することができる。
【００６５】
以上のように、本発明では、電話局交換機に接続され、音声通話をアナログ信号にて通信する既存の通信システムを、音声信号をＶｏＩＰに変換することによりＷＡＮ経由でＳＩＰサーバと通信する方式に変更できるアダプタ装置（ＶｏＩＰアダプタ）を使用する。
また、本発明では、電話回線に接続された既存の通信システムを、ＶｏＩＰアダプタを用いた新規通信システムに交換する際に、既存の通信システムと並列に電話回線に接続し、既存の通信システムの通信手順や回線状態をモニタすることで回線の接続条件や設定状態を学習し、得られた情報に従ってＶｏＩＰアダプタの設定プログラムを自動的に設定することで、新規通信システムへの移行を簡素化する。
【図面の簡単な説明】
【００６６】
【図１】図１は、既存の通信設備に本発明品であるＶｏＩＰアダプタを接続した図である。
【図２】図２は、既存の通信設備を新しい通信システムに移行した後の接続図である。
【図３】図３は、本発明の第１実施形態のＶｏＩＰアダプタの構成図である。
【図４】図４は、回線接続条件設定テーブルである。
【図５】図５は、発信動作、着信動作検出シーケンスフローチャートである。
【図６】図６は、着信動作モニタシーケンスフローチャートである。
【図７】図７は、発信動作モニタシーケンスフローチャートである。
【図８】図８は、本発明の第２実施形態のＶｏＩＰアダプタの構成図である。
【図９】図９は、本発明の第２実施形態の通信システムの接続図である。
【図１０】図１０は、電話回線が１本（通信方式切替）の場合の通信システムの接続図である。
【図１１】図１１は、電話回線が複数（通信方式併用）の場合の通信システムの接続図である。
【符号の説明】
【００６７】
１…  電話局／構内交換機
２（−ｉ、ｉ＝１〜ｎ）…  電話回線
３…  ＰＢＸ／ボタン電話装置
４（−ｉ、ｉ＝１〜ｎ）…  内線電話
５…  ＶｏＩＰアダプタ
６…  ＷＡＮ（広域通信網）
７…  ＳＩＰサーバ
５１…  制御部
５２…  メモリ部
５３…  回線モニタ部
５４（−ｉ、ｉ＝１〜ｎ）…  加入者回線インターフェース部
５５…  ＶｏＩＰ変換部
５６…  Ｅｔｈｅｒインターフェース部
５７…  切り替えスイッチ部
５３１…  極性反転検出部
５３２…  線間電圧検出部
５３３…  呼出信号検出部
５３４…  ＰＢ信号検出部
５３５…  モデム信号検出部
【図１】
2007028057.tif 000003
【図２】
2007028057.tif 000004
【図３】
2007028057.tif 000005
【図４】
2007028057.tif 000006
【図５】
2007028057.tif 000007
【図６】
2007028057.tif 000008
【図７】
2007028057.tif 000009
【図８】
2007028057.tif 000010
【図９】
2007028057.tif 000011
【図１０】
2007028057.tif 000012
【図１１】
2007028057.tif 000013